(57)【要約】      （修正有）【課題】糊付きシートの貼着に際して、作業効率を高め、下地等を傷つけることなく美しい仕上がりを確保する糊付きシート貼着用の下敷きテープを提供する。【解決手段】塩ビシート等の柔軟性素材により形成されたテープ本体２と、テープ本体２の一方の面に易剥離性接着剤を具備することで形成した易剥離性接着剤層３と、テープ本体２の他方の面に非粘着加工を施して形成した非粘着層４とを具備し、非粘着層４は表面に多数の凹凸を具備したことを特徴としており、糊付きシートを重ね切りして下地に貼着する「重ね切り工法」や、凹状の目すかし部分を有する下地における目すかし部分に糊付きシートを貼る「目すかし貼り工法」や、下地のヘリ部分に糊付きシートを貼る「ヘリ貼り工法」を行う際に、予め下地等に本考案の下敷きテープを仮止めしておくことで、下地等を傷つけずに美しい仕上がりで糊付きシートを貼着することを可能にした。【選択図】図１
0003194012.tif 000002
【実用新案登録請求の範囲】
【請求項１】
糊付きシートを下地に貼着する際に用いる糊付きシート貼着用の下敷きテープであって、
柔軟性素材により形成されたテープ本体（２）と、
該テープ本体（２）の一方の面に易剥離性接着剤を具備することで形成した易剥離性接着剤層（３）と、
前記テープ本体（２）の他方の面に非粘着加工を施すことで形成した非粘着層（４）と、を具備し、
少なくとも前記非粘着層（４）の表面に多数個の凹凸を具備した、ことを特徴とする糊付きシート貼着用の下敷きテープ。
【請求項２】
前記テープ本体（２）が塩ビシートであることを特徴とする請求項１に記載の糊付きシート貼着用の下敷きテープ。
【考案の詳細な説明】
【技術分野】
【０００１】
本考案は糊付きシート貼着用の下敷きテープに係り、より詳しくは、作業効率を高めるとともに、下地を傷めずに美しい仕上がりを確保可能とした糊付きシート貼着用の下敷きテープに関する。
【背景技術】
【０００２】
周知のように、住宅等における壁の内装は、下地ボード等の下地に塩ビシート、オレフィン紙等に接着層を形成した糊付きシートを貼着することにより行われるが、糊付きシートには幅の制限があるために、糊付きシートの幅寸法よりも大きい寸法の下地に糊付きシートを貼る場合には、複数枚の糊付きシートを貼り合わせる必要がある。
【０００３】
そして、このとき、単に複数枚の糊付きシートの端どうしを突き合わせて糊付きシートを貼着した場合には継ぎ目部分を美しくすることができないために、これを防止する方法として重ね切り工法と呼ばれる施工方法が行われている。
【０００４】
ここで重ね切り工法について図５を参照して説明すると、重ね切り工法とは、一方の糊付きシート３２Ａと他方の糊付きシート３２Ｂを、端部分を重ね合わした状態で下地３１Ａに貼着し、その後に糊付きシートの互いに重なっている部分を除去する方法である。即ち、図５において３１Ａは下地としての下地ボードであり、この下地ボード３１Ａに重ね切り工法によって糊付きシートを貼着する場合には、まず、一方側の糊付きシート３２Ａの剥離紙を、継ぎ目部分となる側の端部分３３を残して剥離させ、この状態で、図５Ａに示すように、糊付きシート３２Ａを下地ボード３１Ａに貼着する。そうすると、剥離紙３３を残してある部分は下地ボード３１Ａには貼着されない。
【０００５】
次に、図５Ｂに示すように、すべての剥離紙を剥がした他方の糊付きシート３２Ｂを、端部分が前記一方の糊付きシート３２Ａの端部分に重なり合うようにして下地ボード３１Ａに貼着する。
【０００６】
次に、残した剥離紙３３の上方部分において、例えば図５Ｂにおける矢印Ｄに示す部分において、他方の糊付きシート３２Ｂと一方の糊付きシート３２Ａに切り込み３４を入れて、その後に、他方の糊付きシート３２Ｂにおける、切り込み３４より先端側の不要部分を取り除く。
【０００７】
この状態が図５Ｃの状態であり、この状態において、他方の糊付きシート３２Ｂの端部分及び一方の糊付きシート３２Ａの端部分をめくり、他方の糊付きシート３２Ｂの下側に重なっている一方の糊付きシート３２Ａにおける切り込み３４より先端の不要部分を取り除くとともに、一方の糊付きシート３２Ａの端部分の裏面に残っている剥離紙３３を取り除き、その後に、他方の糊付きシート３２Ｂの端部分及び一方の糊付きシート３２Ａの端部分を下地ボード３１Ａに貼着し、これにより、図５Ｄに示すように、継ぎ目部分を美しく仕上げつつ下地ボード３１Ａに糊付きシート３２Ａ、３２Ｂを貼ることが可能になる。
【０００８】
しかしながら、このように剥離紙の一部を残して行う重ね切り工法では、継ぎ目部分がドレープ状になってしまうことがある。即ち、糊付きシートは一般的に芯材に巻き付けられた状態で運搬、保管がされるために巻き癖がついており、従って、端部分のみを残して剥離紙を剥がし、この状態で下地ボードに貼着すると、剥離紙を残した端部分が波状になってしまう。そのため、このような状態で前述したような重ね切り工法を行うと、継ぎ目部分がドレープ状になってしまうおそれが考えられる。
【０００９】
一方、剥離紙を残さずに前述のような重ね切り工法を行った場合には糊付きシートに切り込みを入れる際に下地ボードを傷つけてしまうおそれが考えられる。
【００１０】
この点、従来技術として、下敷きテープが開示されているが、開示されている下敷きテープは、糊付きシートの接着力を利用して下地ボードに仮止めするものであるために、予め下地ボードに仮止めしておくことはできず、そのために作業効率を上げることは不可能である。
【００１１】
また、従来技術として、粘着層が設けられた補助テープも開示されているが（実開平４−８６８５５号）、単に一方の面に粘着層を設けたのみでは、これを剥がす際に下地ボードを傷めてしまう恐れがあるとともに、糊付きシートを表面に貼り付けた後に剥がすことが困難になってしまうおそれもある。
【００１２】
そのために、従来は、美しい仕上がりを確保しつつ効率よく重ね切り工法を実現することは困難な場合があり、職人の実力により仕上がりの美しさに大きな差が出ていた。
【００１３】
また、下地ボードには、高さ方向に沿って凹部状の目すかし部分を設けた態様のものがあり、このような下地ボードに糊付きシートを貼着する場合には、いわゆる目すかし工法が採用されるが、従来の目すかし工法では下地ボードが傷ついてしまう恐れが指摘されている。
【００１４】
即ち、図６はこの目すかし工法を説明するための図であり、図において３１Ｂは下地ボード、３２は糊付きシートであり、下地ボード３１Ｂには、凹状の目すかし部分３１０１が形成されており、この目すかし部分３１０１によって、下地ボード３１は、一方側３１０２Ａと他方側３１０２Ｂに分断されている。そして、この目すかし工法では、下地ボード３１の一方側３１０２Ａの表面、及び目すかし部分３１０１における一方側の下地ボード３１０２Ａ側の側面に糊付きシートを貼着するとともに、この糊付きシート３２を他方側の下地ボード３１０２Ｂの端部分まで延出した後に、この延出した糊付きシート３２を、他方側の下地ボード３１０２Ｂの端部分近傍箇所、図における矢印Ｅで示す部分で切断し、その後に、糊付きシート３２の未貼着の部分を目すかし部分３１０１の底部分に貼着して行われる。
【００１５】
しかしながら、この工法では、下地ボードの他方側３１０２Ｂまで延出した糊付きシート３２が他方側の下地ボード３１０２Ｂに貼着されてしまい、これを剥がす際に下地ボード３１を傷つけてしまうことがあった。
【００１６】
更に、下地ボードに糊付きシートを貼着するに際して、下地ボードと床面との交差部分においては、図７に示すように、下地ボード３１Ｃの下端まで糊付きシート３２を貼着した後に、更にこの糊付きシート３２を床面３１Ｄ側まで延出して、この状態で、下地ボード３１Ｃの下端部分、図における矢印Ｆ部分で切断し、これにより下地ボード３１Ｃの下端まで確実に糊付きシート３２を貼着することが行われるが、このとき、床面３１Ｄ側まで延出させた糊付きシート３２が床面３１Ｄに貼着されてしまい、これを剥がすことにより床面３１Ｄが傷ついてしまうという問題点が指摘されてきた。
【００１７】
そのために、本考案者らは過去において、作業効率を高めることが可能であるとともに、下地や床面を傷つけることなく美しい仕上がりを確保可能とした糊付きシート貼着用の下敷きテープを提案した（実用新案登録第３１３４９１６号公報参照）。
【００１８】
即ち、この糊付きシート貼着用の下敷きテープは、テープ本体の一方の面に易剥離性接着層を形成するとともに、テープ本体の他方の面には、非粘着加工を施して非粘着層を形成したことを特徴としており、糊付きシートの施工の際に、この糊付きシート貼着用の下敷きテープを予め必要な箇所に貼着しておくことで、作業効率を向上させつつ、下地を傷めることなく糊付きシートを貼ることを可能にした。
【００１９】
例えば、粘着テープの重ね切り工法を行う場合には、下地ボードにおける糊付きシートの継ぎ目部分となる箇所に下敷きテープを仮止めしておき、端部分が下敷きテープと重なり合う配置で一方の糊付きシートを貼着し、更に、端部分が一方の糊付きシートの端部分に重なり合う配置で他方の糊付きシートを貼着する。そしてその状態で、糊付きシートが重なり合う部分に切り込みを入れ、糊付きシートにおける切り込みよりも先端部分を取り除き、その後に、糊付きシートの先端部分をめくりあげて下敷きテープを取り除いた後に、めくりあげた糊付きシートの先端部分を下地ボードに貼着する。
【００２０】
そうすると、継ぎ目部分を美しく仕上げつつ糊付きシートを下地ボードに貼り付けることができるとともに、下敷きテープの存在によって、糊付きシートに切り込みを入れる際にも下地ボードを傷めることを防止できる。
【先行技術文献】
【特許文献】
【００２１】
【特許文献１】実用新案登録第３１３４９１６号公報
【特許文献２】実開平５−１６９７７号公報
【特許文献３】特開２００４−１９４１１号公報
【特許文献４】特開平６−３３５６６号公報
【特許文献５】実開平４−８６８５５号公報
【考案の概要】
【考案が解決しようとする課題】
【００２２】
ところで、前述の下敷きテープを用いて糊付きシートの重ね切り工法を行う場合には、糊付きシートが重なり合う部分に切り込みを入れ、糊付きシートにおける切り込みよりも先端部分を取り除いた後に、糊付きシートの先端部分をめくりあげて下敷きテープから剥離しなければならないが、このとき、糊付きシートと下敷きテープとの剥離性を良くしないと、糊付きシートが下敷きテープに張り付いてしまう問題点を指摘できる。
【００２３】
そこで、本考案は、作業効率を高めることが可能であるとともに、下地や床面を傷つけることなく美しい仕上がりを確保可能とし、更に、糊付きシートとの剥離性を向上させた糊付きシート貼着用の下敷きテープを提供することを課題としている。
【課題を解決するための手段】
【００２４】
本考案の糊付きシート貼着用の下敷きテープは、
糊付きシートを下地に貼着する際に用いる糊付きシート貼着用の下敷きテープであって、
柔軟性素材により形成されたテープ本体と、
該テープ本体の一方の面に易剥離性接着剤を具備することで形成した易剥離性接着剤層と、
前記テープ本体の他方の面に非粘着加工を施すことで形成した非粘着層と、を具備し、
少なくとも前記非粘着層の表面に多数の凹凸を具備した、ことを特徴としている。
【考案の効果】
【００２５】
本考案の糊付きシート貼着用の下敷きテープは、テープ本体の一方の面に易剥離性接着層を形成しているために、糊付きシートの施工の際に予め必要な箇所に貼着しておくことができ、これにより、作業効率を向上させつつ、下地を傷めることなく糊付きシートを貼ることができるとともに、糊付きシート施工終了後は、下地を傷めることなく容易に下地より剥がすことができる。
【００２６】
また、  本考案の糊付きシート貼着用の下敷きテープでは、少なくとも、テープ本体の他方の面に形成した非粘着層の表面に多数の凹凸を具備しているため、非粘着層と糊付きシートとの剥離性を向上させ、これにより、糊付きシートが下敷きテープに張り付いてしまうことを確実に防止することができ、施工性を向上させることも可能となる。
【図面の簡単な説明】
【００２７】
【図１】本考案の下敷きテープの実施例の構造を説明するための断面図である。
【図２】本考案の下敷きテープの実施例を用いた糊付きシートの貼着方法を説明するための図である。
【図３】本考案の下敷きテープの実施例を用いた糊付きシートの貼着方法を説明するための図である。
【図４】本考案の下敷きテープの実施例を用いた糊付きシートの貼着方法を説明するための図である。
【図５】従来の糊付きシートの貼着方法を説明するための図である。
【図６】従来の糊付きシートの貼着方法を説明するための図である。
【図７】従来の糊付きシートの貼着方法を説明するための図である。
【考案を実施するための形態】
【００２８】
本考案の下敷きテープでは、塩ビシート、オレフィン紙等の柔軟性素材により形成されたテープ本体を有しており、このテープ本体の一方の面には、弱粘性の糊等の易剥離性接着剤を塗布して形成した易剥離性接着層を具備している。
【００２９】
また、前記テープ本体の他方の面には、シリコン加工、あるいは蝋等を塗ることで非粘着加工を施し、これにより非粘着層を形成している。
【００３０】
そして、少なくとも非粘着層の表面には、エンボス加工等によって多数の凹凸を形成している。
【実施例１】
【００３１】
本考案の糊付きシート貼着用の下敷きテープ（以下においては単に「下敷きテープ」という。）の実施例について図１を参照して説明すると、図１は本実施例の下敷きテープの構成を示す断面図であり、図において１が本実施例の下敷きテープである。
【００３２】
そして、本実施例の下敷きテープ１はテープ本体を有しており、即ち図において２がテープ本体であり、本実施例におけるテープ本体２は、塩ビシート、オレフィン紙、紙等の柔軟性のある薄い素材から構成され、５ｍｍ乃至１０ｍｍ幅の細長形状とされて、例えば粘着テープ等のように、芯材に巻き取ることで保管される。
【００３３】
次に、前記テープ本体２の一方の面には、易剥離性の接着層３が形成されており、この易剥離性接着層３は、例えば弱粘性の糊を前記テープ本体２の一方の面にコーティングすることにより形成される。
【００３４】
また、前記テープ本体２の他方の面には、非粘着層４が形成されており、この非粘着層４は、例えば、前記テープ本体２の他方の面にシリコン加工、あるいは蝋等をコーティングする等の非粘着加工を施すことにより形成されている。
【００３５】
そして、本実施例において前記非粘着層４は、その表面に多数の凹凸を形成しており、これにより、剥離性を向上させ、糊付きシートの重ね切り等を行う際に、糊付きシートが張り付いてしまうことを防止している。
【００３６】
ここで、前記非粘着層４の表面に多数の凹凸を形成する方法について説明すると、本実施例においては、前記テープ本体２の表面にシリコン加工あるいは蝋等のコーティングをして、これによりテープ本体２の表面に非粘着層を形成しているが、このとき、シリコン、蝋等のコーティング剤が固化する前に、非粘着層が形成されたテープ本体２をエンボス加工し、これにより、非粘着層４の表面を凹凸状に形成している。そして、エンボス加工の方法としては例えば、テープ本体２をエンボスローラーに通すことが考えられる。
【００３７】
このように、本実施例の下敷きテープ１では、前記テープ本体２をエンボス加工することで、非粘着層４の表面に多数の凹凸を形成しているために、糊付きシートの重ね切工法に際して本実施例の下敷きテープを用いた場合でも、糊付きシートが本実施例の下敷きテープ１における非粘着層４に張り付いてしまうことを確実に防止でき、それにより、施工性も向上させることが可能である。
【００３８】
次に、このように構成される本実施例の下敷きテープ１の作用について説明すると、まず、本実施例の下敷きテープを用いて、糊付きシートを重ね切りしながら下地に貼着する工法（以下「重ね切り工法」と称する。）について図面を参照して説明すると、図２は、本実施例の下敷きテープ１を用いた重ね切り工法を説明するための工程図であり、図において１１Ａが、糊付きシートを貼着する下地ボードである。
【００３９】
そして、本実施例の下敷きテープ１を用いて重ね切り工法を行う場合には、まず、図２（Ａ）に示すように、下地ボード１１Ａにおける、糊付きシートの継ぎ目部分となる箇所に、下地ボード１１Ａの高さ寸法と同等に切断した下敷きテープ１の易剥離性接着層３の面を、下地ボード１１Ａの高さ方向に沿って仮止めする。
【００４０】
なお、糊付きシートを下地ボード１１Ａに貼着する際には、下地ボード１１Ａの幅によっては糊付きシートを３枚以上継ぎ貼りする必要が生じ、糊付きシートの継ぎ目が複数箇所に形成されることがあるが、かかる場合には、糊付きシートの継ぎ目となる箇所のそれぞれに、予め下敷きテープを仮止めしておく。
【００４１】
次に、糊付きシートの端部分を、前記下敷きテープ１に貼着する。即ち、図２（Ｂ）に示すように、前記下敷きテープ１と重なり合う配置で、下地ボード１１Ａに、一方の糊付きシート１２Ａを貼着し、更に、端部分が前記一方の糊付きシート１２Ａの端部分に重なり合う配置で、他方の糊付きシート１２Ｂを、前記下地ボード１１Ａに貼着する。
【００４２】
そして次に、この状態において、図２（Ｃ）に矢印Ａで示すように、前記糊付きシート１２Ａ、１２Ｂが重なり合う部分に、長さ方向に切り込み１３を入れ、それにより、他方の糊付きシート１２Ｂにおける切り込みよりも先端部分及び、一方の糊付きシート１２Ａにおける切り込みよりも先端部分をともに、糊付きシートの他の部分から離れた自由端にする。
【００４３】
そして、次に、図２（Ｄ）に示すように、前記一方の糊付きシート１２Ａの上に重なっている前記他方の糊付きシート１２Ｂにおける自由端部分を除去し、次に、前記他方の糊付きシート１２Ｂの先端部分をめくりつつ、他方の糊付きシート１２Ｂの下に重なっている前記一方の糊付きシート１２Ａにおける自由端部分を除去する。
【００４４】
この自由端部分を除去した状態が図２（Ｅ）に示す状態であり、この状態において次に、矢印で示すように一方の糊付きシート１２Ａの先端部分、及び他方の糊付きシート１２Ｂの先端部分をめくりあげ、前記仮止めした下敷きテープ１を取り除き、その後に、めくりあげた一方の糊付きシート１２Ａの先端部分と他方の糊付きシート１２Ｂの先端部を下地ボード１１に貼着する。
【００４５】
そうすると、図２（Ｆ）に示すように、継ぎ目部分を美しく仕上げつつ糊付きシート１２を下地ボード１１Ａに貼り付けることができるとともに、下敷きテープ１の存在によって、糊付きシート１２に切り込みを入れる際にも下地ボード１１を傷めることを防止できる。
【００４６】
そしてこのとき、この工法では、下地ボードに仮止めした下敷きテープ上で糊付きシートの重ね切りをしているために、糊付きシートの剥離紙を剥がすに際してその一部を残しておく必要がなく、そのため、継ぎ目部分がドレープ状になってしまうおそれがない。
【００４７】
また、易剥離性接着層を有する下敷きテープを用いるために、糊付きシートの施工の際に予め下敷きテープを貼着しておくことができ、これにより作業効率を向上させることができるとともに、糊付きシート施工終了後に、下地ボードを傷めることなく容易に剥がすことができる。更にこのとき、糊付きシートの継ぎ目部分となる箇所が複数箇所ある場合には、その箇所のそれぞれに予め下敷きテープを仮止めしておくことで、作業効率を更に高めることが可能となる。
【００４８】
更に、本実施例の下敷きテープ１では、非粘着層４の表面に多数の凹凸を形成して剥離性を向上させているために、一方の糊付きシート１２Ａの先端部分及び他方の糊付きシート１２Ｂの先端部分をめくりあげて仮止めした下敷きテープ１を取り除く際に、糊付きシートにおける下敷きテープ１に貼着した部分が下敷きテープ１に張り付いてしまい剥離が困難になることが無く、従って、一方の糊付きシート１２Ａの先端部分及び他方の糊付きシート１２Ｂの先端部分をめくりあげる際も容易に行うことができ、施工性を向上させることもできる。
【００４９】
次に、本実施例の下敷きテープを用いて、凹状の目すかし部分を有する下地における前記目すかし部分に糊付きシートを貼る工法（以下「目すかし貼り工法」と称する。）について説明すると、図３は、本実施例の下敷きテープを用いた目すかし貼り工法を説明するための図であり、図において１１Ｂは目すかし部分を備えた下地ボードである。
【００５０】
即ち、この下地ボード１１Ｂでは、高さ方向に沿って、所定幅の凹状とした目すかし部分１１０１を有しており、この目すかし部分１１０１を挟んで、前記下地ボード１１Ｂは、一方側下地ボード１１０２Ａと、他方側下地ボード１１０２Ｂとを有している。
【００５１】
そして、本実施例の下敷きテープを用いた目すかし貼り工法では予め、他方側下地ボード１１０２Ｂの端部分表面に前記下敷きテープ１を仮止めしておく。
【００５２】
そして、一方側下地ボード１１０２Ａにおける表面と、目すかし部分１１０１における一方側下地ボード１１０２Ａ側の側面に糊付きシート１２を貼着するとともに、この糊付きシート１２を、前記下敷きテープ１側まで延出し、この延出した糊付きシート１２を、下敷きテープ１に重なり合っている箇所、図３における矢印Ｂで示す部分で切断する。
【００５３】
そしてその後は、糊付きシート１２における未貼着の部分を下地ボード１１Ｂの目すかし部分１１０１に貼着するとともに、前記仮止めした下敷きテープ１を取り除き、これにより目すかし部分の糊付きシートの貼着が完了する。
【００５４】
このように、本実施例の下敷きテープを用いた目すかし貼り工法では、目すかし部分を挟んだ下地の他方の端部分の表面に予め下敷きテープを仮止めしておくため、延出させた糊付きシート１２が他方側下地ボード１１０２Ｂに接着してしまうことが無く、下地ボードを傷めることなく目すかし部分に糊付きシートを貼着することが可能である。
【００５５】
またかかる目すかし貼り工法においても、非粘着層４の表面に多数の凹凸を形成して剥離性を向上させているために、糊付きシート１２における下敷きテープ１側まで延出した部分が下敷きテープ１に張り付いてしまうことを防止でき、施工性を向上させることができる。
【００５６】
次に、本実施例の下敷きテープを用いて、下地のヘリ部分に糊付きシートを貼る工法（以下「ヘリ貼り工法」と称する。）について説明すると、図４は、本実施例の下敷きテープを用いたヘリ貼り工法を説明するための図であり、図において１１Ｃは下地ボード、１１Ｄは床部分であり、本実施例の糊付きシートの貼着工法は、特に床部分の表面を傷めることなく、下地ボード１１Ｃにおける床１１Ｄとの交差部分を美しく仕上げるための工法としている。
【００５７】
そして、本実施例の下敷きテープを用いたヘリ貼り工法では、まず、予め、下地ボード１１Ｃに交差する床部分１１Ｄにおいて、下地１１Ｃの近傍に前記下敷きテープ１を仮止めしておく。
【００５８】
そして、下地１１Ｃに糊付きシート１２を貼着するとともに、その糊付きシート１２の端部分を前記床部分１１Ｄの側まで延出する。
【００５９】
そして次に、該延出させた糊付きシート１２を、前記下地１１Ｃと床部分１１Ｄとの交差部分、図における矢印Ｃで示す部分で切断し、糊付きシート１２を下地ボード１１Ｃの下端まで確実に貼着する。
【００６０】
そして、その後、前記仮止めした下敷きテープ１を取り除き、あるいは、前記仮止めした下敷きテープ１を取り除いた後に、糊付きシート１２を下地ボード１１Ｃの下端まで確実に貼着し、これによりヘリ貼りが完了する。
【００６１】
このように、本実施例の下敷きテープを用いたヘリ貼り工法では、予め、下地ボード１１Ｃに交差する床部分１１Ｄにおける、下地１１Ｃの近傍に前記下敷きテープ１を仮止めしておくことを特徴としているために、床部分１１Ｄ側まで延出させた糊付きシート１２が床部分１１Ｄの表面に接着してしまうことが無く、床部分１１Ｄを傷めることなくヘリ部分に糊付きシートを貼着することが可能である。
【００６２】
また、かかるヘリ貼り工法においても、非粘着層４の表面に多数の凹凸を形成して剥離性を向上させているために、糊付きシート１２における床部分１１Ｄまで延出した部分が下敷きテープ１に張り付いてしまうことを防止でき、施工性を向上させることができる。
【産業上の利用可能性】
【００６３】
本考案の糊付きシート貼着用の下敷きテープは、糊付きシートの貼着に際して、作業効率を高めるとともに下地を傷めずに美しい仕上がりを確保可能とし、更に糊付きシートを仮止めする側の剥離性を向上して糊付きシートが張り付いてしまうことも防止しているため、糊付きシートに限らず、ステッカー貼りの全般に適用可能である。
【符号の説明】
【００６４】
１    下敷きテープ
２    テープ本体
３    易剥離性接着層
４    非粘着層
１１Ａ、１１Ｂ、１１Ｃ    下地ボード
１１Ｄ    床部分
１１０１    目すかし部分
１１０２Ａ    一方側下地ボード
１１０２Ｂ    他方側下地ボード
１２    糊付きシート
１２Ａ    一方側の糊付きシート
１２Ｂ    他方側の糊付きシート
【図１】
0003194012.tif 000003
【図２】
0003194012.tif 000004
【図３】
0003194012.tif 000005
【図４】
0003194012.tif 000006
【図５】
0003194012.tif 000007
【図６】
0003194012.tif 000008
【図７】
0003194012.tif 000009